(57)【要約】【課題】  偽造等を確実に防止するセキュリティを維持したままで、景品交換装置の場所を利用者が自由に選択して景品を交換できるようにする。【解決手段】  管理番号を管理する管理サーバを設け、１つまたは複数の景品製造装置、１つまたは複数の景品払出装置および１つまたは複数の景品交換装置をネットワークで接続し、景品カードにはＩＣタグを設け、かつ景品識別コードを表面に印刷し、景品払出しの際にＩＣタグの情報および景品識別コード情報により認証を行うようにした。或いは、景品払出装置の認証情報読取手段としてバーコードリーダのみを設け、景品払出の際、最低限のチェックを行うようにした。【選択図】      図１
2006204361.tif 000002
【特許請求の範囲】
【請求項１】
景品ごとの識別番号を記録し管理する管理サーバと、
ＩＣタグに少なくとも前記景品の識別番号を格納し、少なくとも前記景品の価値情報を印刷して景品を製造する景品製造装置と、
報償として価値の異なる前記景品の組合せにより払出す景品払出装置と、
前記払出された景品を当該景品の価値に相当する交換品に交換する景品交換装置と、
前記管理サーバ、前記景品製造装置、前記景品払出装置および前記景品交換装置を接続する通信網からなる景品交換システムにおいて、
景品払出し若しくは景品交換のとき、或いはいずれのときも前記識別番号に基づき景品の正当性を検証するようにしたことを特徴とする景品交換システム。
【請求項２】
景品製造の際或いは景品払出しの際に、前記景品の識別番号、製造地域情報、或いはさらに製造年月日の情報を前記管理サーバにて記録することを特徴とする景品交換システム。
【請求項３】
景品払出しの際に、前記管理サーバに記録した前記景品の識別番号および製造地域情報或いはさらに製造年月日に基づき、景品の正当性を検証することを特徴とする景品交換システム。
【請求項４】
景品払出しの際の正当性検証により正当であることが確認できたときに、前記景品の識別番号、景品払出地域情報或いはさらに払出年月日を前記管理サーバにて記録することを特徴とする景品交換システム。
【請求項５】
景品交換の際に、前記管理サーバに記録した前記景品の識別番号および景品払出地域情報或いはさらに払出年月日に基づき、景品の正当性を検証することを特徴とする景品交換システム。
【請求項６】
景品交換の際の正当性検証により正当であることが確認できたときに、前記景品の識別番号および交換地域情報或いはさらに交換年月日を管理サーバにて記録することを特徴とする景品交換システム。
【請求項７】
景品ごとの識別番号を記録し管理する管理サーバと、
ＩＣタグに少なくとも前記景品の識別番号を格納し、少なくとも景品の価値情報を印刷し、報償として払出す複数の景品払出装置と、
前記払出された景品を当該景品の価値に相当する交換品に交換する複数の景品交換装置と、
前記管理サーバ、前記景品払出装置および前記景品交換装置を接続する通信網からなる景品交換システムにおいて、
景品交換のとき、前記識別番号に基づき景品の正当性を検証するようにしたことを特徴とする景品交換システム。
【請求項８】
景品製造の際に、前記景品の識別番号、地域情報、或いはさらに製造年月日の情報を前記ＩＣタグに書込み、或いはさらに前記情報を前記景品に印刷することを特徴とする景品製造装置。
【請求項９】
景品払出しの際に、前記ＩＣタグの情報、前記印刷情報、および前記管理サーバに記録した前記景品の識別番号および景品製造の地域情報或いはさらに製造年月日に基づいて、景品の正当性を検証するようにしたことを特徴とする景品払出装置。
【請求項１０】
景品交換の際に、前記ＩＣタグの情報、前記印刷情報、および前記管理サーバに記録した前記景品の識別番号および景品製造或いは景品払出しの地域情報若しくはさらに製造年月日に基づいて、景品の正当性を検証するようにしたことを特徴とする景品交換装置。
【発明の詳細な説明】
【技術分野】
【０００１】
本発明は、遊技等の結果の報償を数種の景品として提供し、当該提供された数種の景品を他の経済価値媒体に交換する景品交換システムに関するものである。
【背景技術】
【０００２】
遊技機等を設置している遊技場において、遊技の結果の報償として得た遊技媒体を、遊技場内景品払出所で価値が異なる数種の景品により払出しを受け、景品交換所にて当該景品と他の経済価値媒体（以下、「交換品」という）とを交換することが多い。
【０００３】
そして、近年、省力化のために、数種の価値を有する景品を用意して置き、景品発行装置により前記報償に相当する景品を発行し、発行された景品を景品交換装置により交換品に交換するシステムが導入されている。
【０００４】
そして、景品の偽造等を防止するために、このような景品では、非接触通信によりリードライトできるＩＣタグを埋め込んだカード状の景品とし（例えば、特許文献１参照）、これを景品発行装置に複数貯蔵し、景品発行装置にて景品のＩＣタグに発行する景品ごとに発行ＩＤを発生させて前記報償に相当する計数ポイントとともに書込んで排出すると共に、景品交換装置に所定のタイミングで転送させておき、景品交換装置にて景品に対応する交換品に交換する際に、ＩＣタグの情報と前記受信した情報を比較することにより認証を行うようにしている（例えば、特許文献２参照）。
【特許文献１】特開２００２−３２０７６１号公報
【特許文献２】特開２００４−１２１４５２号公報
【発明の開示】
【発明が解決しようとする課題】
【０００５】
しかしながら、以上の景品および景品交換システムでは、景品交換装置は１つであり、景品交換装置の場所を利用者が自由に選択し景品を交換することはできなかった。また、従来技術の延長として、仮に景品交換装置を複数設けたとしても、他の区域の景品発行装置で発行した景品は、交換ができないなど利便性に欠けていた。
【０００６】
また、利用者が場所を自由に選択し景品を交換することができるようにした場合、逆に景品の偽造の機会が増加するため、セキュリティを向上する必要があった。
【課題を解決するための手段】
【０００７】
本発明は、前述の課題を解決するため次の構成を採用する。すなわち、景品ごとの識別番号を記録し管理する管理サーバと、ＩＣタグに少なくとも前記景品の識別番号を格納し、少なくとも前記景品の価値情報を印刷して景品を製造する景品製造装置と、報償として価値の異なる前記景品の組合せにより払出す景品払出装置と、前記払出された景品を当該景品の価値に相当する交換品に交換する景品交換装置と、前記管理サーバ、前記景品製造装置、前記景品払出装置および前記景品交換装置を接続する通信網からなる景品交換システムにおいて、景品払出し若しくは景品交換のとき、或いはいずれのときも前記識別番号に基づき景品の正当性を検証するようにした。
【発明の効果】
【０００８】
本発明の景品交換システムによれば、管理番号等を管理する管理サーバを設け、景品製造装置、景品払出装置および景品交換装置をネットワークで接続し、景品にはＩＣタグを設け景品価値を表面に印刷し、景品払出し或いは景品交換の際に、管理サーバの管理番号等の情報、および前記ＩＣタグの情報、或いはさらに前記印刷情報により認証を行うようにしたので、所望の場所の景品交換装置にて景品を交換することができるとともに、偽造防止等のセキュリティを確保することができる。
【発明を実施するための最良の形態】
【０００９】
以下、本発明に係る実施の形態例を、図面を用いて説明する。なお図面に共通する要素には同一の符号を付す。
【実施例１】
【００１０】
実施例１の景品交換システムは、管理番号等を管理する管理サーバを設け、景品製造装置、景品払出装置および景品交換装置をネットワークで接続し、景品にはＩＣタグを設け、さらに景品価値等を表面に印刷し、景品払出し或いは景品交換の際に、管理サーバの管理データおよび前記ＩＣタグの情報、或いはさらに前記印刷情報により認証を行うようにしたものである。
【００１１】
（システムの構成）
図１は、実施例の景品交換システムのシステム構成図である。同図のように実施例１の景品交換システムは、景品製造工場１００にて景品Ｐを製造しこれに必要情報を書込み或いは印刷する景品製造装置１０１と、遊技ホール２００に設置され遊技媒体の数をカウントしこれを景品Ｐにて払出しを受けるためのレシートＲを印刷発行するＰＯＳ装置２０１と、前記レシートＲに応じた景品Ｐを払い出す景品払出装置２０２と、景品交換所３００に設置され景品Ｐに基づき交換品と交換する景品交換装置２０２と、管理センタ４００に設置された管理サーバ４０１とから構成され、これらが通信網５００によって接続された構成となっている。
【００１２】
なお、遊技ホール２００において、破線のように店内ＬＡＮ２０３を設け、前記レシートＲを電子レシートとし認証コードや識別番号を格納し、その他の情報は店内ＬＡＮ２０３にて景品払出装置２０２に送信するような構成としてもよい。
【００１３】
（景品の構成）
図２に実施例１の景品Ｐの構成を示す。同図に示したように、実施例１の景品Ｐは、一定の価値を有する貴金属２と、景品の価値などの情報を格納するＩＣチップ３ａと、これに電気的に接続され非接触通信を行うためのアンテナ３ｂと、景品の価値などの情報をバーコードにて印刷されるバーコード４から構成され、図のように配置されている。なお、便宜上、前記ＩＣチップ３ａとこれに電気的に接続され非接触通信を行うためのアンテナ３ｂを一体として、「ＩＣタグ３」という。一般に、前記ＩＣチップ３ａ製造の際に、ＩＣチップ３ａごとにユニークな識別ＩＤが付与され記録されている。
【００１４】
（景品製造装置の構成）
次に、実施例１の景品製造装置は、図３に示したように、後述の各部を制御する制御部１１０と、通信網５００との通信を制御する通信制御部１１１と、アンテナ３ｂを用いて非接触通信によりＩＣチップ３ａに景品の価値などの情報を書込み、書込んだ情報を確認するためのＩＣタグリーダライタ１１２と、景品の価値などの情報をバーコード４にて印刷する印刷部１１３と、印刷されたバーコード４の確認を行うためのバーコードリーダ１１４とから構成され、図のように接続された構成となっている。
【００１５】
（景品払出装置の構成）
次に、実施例１の景品払出装置は、図４に示したような外観となっている。すなわち、実施例１の景品払出装置２０２は、利用者が前記ＰＯＳ２０１により発行されたレシートＲを用いて景品の払出しを受けるための操作を行う顧客操作部２０３と、後述の所定の操作により景品Ｐが払い出される景品払出口２０４およびシャッタ２０４ａと、係員が確認などの所定の操作を行う係員操作部２０５から構成される。
【００１６】
なお、顧客操作部２０３、係員操作部２０５は、省スペースを考慮し、タッチパネルとＬＣＤを重ねて配置した構成とするのが一般的である。
【００１７】
図５は、景品払出装置２０２の制御系ブロック図である。景品払出装置２０２の制御系は、以下説明する各部を制御する制御部２１０と、これに接続される、通信網５００を用いた通信を制御する通信制御部２１１と、前記顧客操作部２０３と、前記係員操作部２０５と、景品Ｐの払出しを終了したとき発行するレシートＲなどを印刷する印刷部２１３と、景品搬送機構や各種景品のスタッカからなる景品払出ユニット２１４とから構成される。
【００１８】
さらに、景品払出装置２０２の制御系は、景品払出口２０４のシャッタの開閉を検出するシャッタ開閉センサ２１７と、景品種類ごとのスタッカのセット／否を検出するユニットスイッチ２１８と、景品Ｐに設けたＩＣタグ３の情報を読み取るＩＣタグリーダ２１５と、前記バーコード４を読み取るバーコードリーダ２１６とが制御部２０に接続された構成となっている。
【００１９】
なお、ＩＣタグライタは高価であるため、景品払出装置２０２には設けない構成としているが、セキュリティ向上のために新たに情報を書込む場合は、ＩＣタグライタも設けるのがよい。また、セキュリティ向上のために利用者の画像を所定の間隔で撮影し適宜格納するためのカメラや、操作画面の動作を開始するタイミングを生成するための利用者の接近を検出する近接センサなどを設けるようにしてもよい。
【００２０】
次に、図６を用いて、景品払出装置２０２の機構部の構成を説明する。同図のように、景品払出装置２０２の機構部は、図６下側に配置されている各種景品スタッカ２３１の上部から景品Ｐが繰り出され図中右側に向かって搬送され、切替部２３２により第１の搬送路２３３に搬送される機構となっている。
【００２１】
なお、前記スタッカ２３１には、例えば、それぞれ５００ポイント（以下「Ｐ」という）、１０００Ｐ、２０００Ｐ、５０００Ｐ、１００００Ｐのうち払出しに使用する種類の景品をそれぞれのスタッカに集積して置けるようになっている。図示していないが、前記５種類の全種類のスタッカを設ける構成としても勿論よい。
【００２２】
そして、景品Ｐに設けられたバーコード４およびＩＣタグ３の情報を読み取るためのバーコードリーダ２１６、ＩＣタグリーダ２１５が第１の搬送路２３３の近傍に配置され、リジェクト搬送路２３６が第１の搬送路２３３から分岐されて設けられ、その先にリジェクトされた景品Ｐを格納するリジェクト部２３７が設けられている。
【００２３】
第１の搬送路２３３の左端には景品Ｐを第２の搬送路２３９に搬送するための切替部２３８が設けられ、前記第２の搬送路２３９の先には、前記景品Ｐを払い出す景品払出口２０４が設けられており、異物防止等のためにシャッタ２０４ａにて遮蔽された構成となっている。
【００２４】
（景品交換装置の構成）
図７は、実施例の景品交換装置の外観図である。同図に示したように、実施例の景品交換装置３０１は、遊技の結果の報償として払い出された複数種類の景品Ｐを持つ利用者が、景品Ｐを交換品に交換する操作を行う操作部３０２と、当該景品Ｐを投入する景品投入口３０３と、交換品を払い出す交換品払出口３０４と、景品Ｐが交換できない不正なものであったり、識別情報を読むことができないものであったりした場合に返却する景品返却口３０５と、利用者などの画像を取得するためのカメラ部３０６から構成される。なお、操作部３０２は、省スペースを考慮し、タッチパネルとＬＣＤを重ねて配置した構成とするのが一般的である。
【００２５】
図８は、景品交換装置３０１の制御系ブロック図である。景品交換装置３０１の制御系は、以下説明する各部を制御する制御部３２０と、通信網５００を用いた通信を制御する通信制御部３２１と、利用者への案内等の表示および操作を行うための前記操作部３０２と、景品Ｐの交換を終了したとき発行するレシートＲなどを印刷する印刷部３２３と、景品Ｐの搬送制御、シャッタ３０３ａ、３０５ａの開閉制御、景品種類に応じて分離しそれぞれのスタッカに集積などの処理を行う景品処理部３２４と、交換品を集積してある交換品ユニット３２５とから構成され図のように接続されている。
【００２６】
さらに、景品交換装置３０１の制御系は、利用者の画像を所定の間隔で撮影し適宜格納するためのカメラ部３２６と、利用者の接近を検出する近接センサ３２９と、景品投入口３０３や景品返却口３０５などのシャッタの開閉を検出するシャッタ開閉センサ３３０と、景品種類ごとのスタッカのセット／否を検出するユニットスイッチ３３１と、景品Ｐに設けたＩＣタグ３の情報を読み取るＩＣタグリーダである第１のリーダ３２７、第２のリーダ３２８とが制御部３２０に接続された構成となっている。
【００２７】
なお、近接スイッチ３２９の代わりに、利用者の接近検出をカメラ部３２６の画像を用いて画像識別により判定するようにすれば、近接スイッチ３２９は設けなくてもよい。
【００２８】
次に、図９を用いて、景品交換装置３０１の内部の構成を説明する。なお、図９の紙面裏側には、交換品の集積部、搬送機構等が配置されているが、それらの構成については、本発明の主要部と直接関係しないので、その説明を省略する。
【００２９】
図９右側上が、景品投入口３０３であり、その下側に景品返却口３０５が配置されている。景品投入口３０３、景品返却口３０５には、景品Ｐ以外の異物などの投入を防止するために、シャッタ３０３ａ、３０５ａが取り付けられており、制御部３２０の制御に基づき図示しない駆動部により開閉され、その開閉をシャッタ開閉センサ３３０が検出し、制御部３２０に通知できるようになっている。
【００３０】
シャッタ３０３ａの後方には、景品Ｐを装置内に搬送する第１搬送路３４７が配置され、その後方には、ＩＣタグ３の情報を読み出し認証を行うための第１のリーダ３２７が配置され、さらに後方には、景品Ｐを一旦貯留する第１次貯留部３４９が配置されている。
【００３１】
そして、第１次貯留部３４９の左側には利用者により交換品に交換する旨の指示がなされたときに、移送手段３４０により一括移動して貯留する第２次貯留部３４１が配置されている。第１次貯留部３４９の下側には、偽造などが検出された場合や情報を読み取ることができない場合などで景品Ｐをリジェクトし格納するリジェクト部３４２が配置されている。
【００３２】
そして、その近傍に前方に向かう第２の搬送路３４３が配置され、さらに前方に向かった位置に、景品Ｐを集積する際に再度ＩＣタグ３の情報により認証を行うための第２のリーダ３２８が配置され、その下側にそれぞれの価値に応じた景品Ｐを集積するためのスタッカ３４５が配置されている。
【００３３】
なお、スタッカ３４５ａないし３４５ｅは、例えば、それぞれ５００Ｐ、１０００Ｐ、２０００Ｐ、５０００Ｐ、１００００Ｐの５種類の価値に相当する景品Ｐを集積するようになっている。
【００３４】
（管理サーバの管理データの構成）
管理センタ４００に設けた管理サーバ４０１の管理データは、図１０に示したように、景品Ｐを製造する際に、各景品の価値ごとに管理サーバ４０１にて番号を付与し、その後の景品払出しがなされた地域情報、景品交換がなされた地域情報をそれぞれ実施した日付とともに格納するようにしている。勿論、価値ごとに番号を付与するのではなく、全景品を通して番号を付与するような構成としてもよい。
【００３５】
例えば、５００Ｐの景品で、管理番号が"００００００２"の景品は、景品製造、景品払出、景品交換として、それぞれＡ（２００１．３．１）、Ｂ（２００１．９．１）、Ｂ（２００１．９．４）と記載されているので、景品ＰがＡ地域で２００１年３月１日に製造され、Ｂ地域にて２００１年９月１日に景品払出しがなされ、同じくＢ地域で２００１年９月４日に交換品の交換済みであることを示している。そして、５００Ｐの管理番号が、現在、"１２３４５６８"までとなっているので、次に５００Ｐの景品を製造する場合は、管理番号が"１２３４５６９"となることを示している。
【００３６】
なお、以上のように景品製造、景品払出、景品交換のすべての地域情報、実施の日を管理する例を示したが、いずれか１つ或いは適宜複数を選択し管理するようにしてもよい。以上のように管理することにより偽造の発見、或いは景品Ｐの流通の確認などが容易にできる。
【００３７】
（動作）
以上の構成により、実施例１の景品交換システムは、以下のように動作する。この動作を図１１の動作フローチャートを用いて説明する。なお、便宜上、景品製造装置１０１の処理ステップをＳＰで表し、景品払出装置２０２の処理ステップをＳＨで表し、管理サーバ４０１側の処理ステップをＳＫで表し、景品交換装置３０１の処理ステップをＳＣで表す。
【００３８】
また、以下の説明では、図１０に示した５００Ｐの管理番号００００００１番の景品Ｐがすでに製造された状態で、次の００００００２番の景品Ｐを製造し、払出し、および交換する例として説明する。
【００３９】
（景品製造に関する動作）
まず、景品製造工場１００の景品製造装置１０１は、製造する景品の種類として、例えば価値情報として５００Ｐおよび製造する地域情報として地域Ａを送信し、管理サーバ４０１に管理番号の付与を依頼する（ステップＳＰ１）。
【００４０】
すると、管理サーバ４０１は、すでに発行番号００００００１番が発行されているので、次の００００００２番を採番し、これに景品製造地域としてＡ、その年月日として例えば２００１年３月１日を記録する。なお、この記録の際に、景品払出情報、景品交換情報には、初期値として"０"を記録するようにする。そして、管理サーバ４０１は、管理番号として"００００００２"番を景品製造装置１０１に返信する（ステップＳＫ１）。
【００４１】
すると、管理番号を受信した景品製造装置１０１は、ＩＣタグ３に価値情報"５００Ｐ"とともに管理番号"００００００２"、地域コード "Ａ"、製造年月日"２００１年３月１日"をＩＣタグリーダライタ１１２により書込み、確認のために再度読み出しコンペアチェックを行う。そして、バーコード４として同様の情報をバーコードとして印刷する（ステップＳＰ２）。なお、印刷するのではなく、バーコードシールに、前記情報を印刷し、バーコード４として貼付し景品全体をカバーシートで蓋うようにしてもよい。
【００４２】
以上のように、各種景品を同様にして、管理サーバ４０１とのやり取りにより管理番号を取得し、ＩＣタグ３への記録およびバーコード４としての印刷を行い順次、所望の景品を製造し、随時、遊技ホール２００に納品する。なお、前述ステップＳＰ１のように管理サーバ４０１に管理番号の付与を依頼するのではなく、景品の構成にて説明したＩＣチップ３ａ製造の際に記録された前記識別ＩＤを読み取り、管理サーバ４０１にこれを送信し、管理番号として当該識別ＩＤを用いるようにしてもよいし、管理サーバ４０１にて新たに採番した番号とともに管理するようにしてもよい。この場合、ＩＣタグ３への新たな記録を行わないようにすることもできる。
【００４３】
（景品払出しに関する動作）
一方、遊技ホール２００では、前記景品Ｐを景品払出装置２０２の価値種類毎のスタッカ２３１に格納する。そして、遊技の報償をＰＯＳ２０１にてレシートＲによる受領した利用者が、景品払出装置２０２にて顧客操作部２０３によりレシートＲに記録された識別番号情報等を入力し、係員操作部２０５による係員の操作により承認を行うことにより、景品払出し動作を開始する。
【００４４】
この払出しの際に、景品払出装置２０２は、ＩＣタグリーダ２１５により、価値情報、管理番号等の情報を読み取り、偽造などがない景品であるかどうかの認証を行うために、この情報を管理サーバ４０１に送信する（ステップＳＨ１）。
【００４５】
これを受信した管理サーバ４０１は、例えば、管理番号"００００００２"の情報が送信されてきたときは、価値情報に相当する管理番号"００００００２"に記録した地域情報、製造年月日と、受信した情報を比較することにより、偽造等がないかを確認する。或いは、さらに地域情報により納品実績のない地域で製造されていないか、或いは製造年月日により所定の期間より古くないか、現時点より新しい年月日となっていないかなども確認し、景品払出装置２０２にその結果を通知する（ステップＳＫ２）。
【００４６】
次に、景品払出装置２０２では、バーコードリーダ２１６にて価値情報、管理番号、地域情報、製造年月日を読み取り、ＩＣタグ３の情報と比較し、偽造の有無などを確認し（ステップＳＨ２）、偽造等がなく正当な景品であれば、景品払出口２０４に景品Ｐを払出す（ステップＳＨ３）。
【００４７】
一方、ＩＣタグ３の情報に基づく管理サーバ４０１による認証結果およびバーコード情報による比較の結果、正当な景品でないと判断したときは、リジェクト部２３７に格納し、払出しを行わないようにし、管理サーバ４０１にその旨通知する。
【００４８】
管理サーバ４０１は、景品払出装置２０２から正常に景品払出しがなされた旨の情報を受信したときは図１０に示した管理データの景品払出しを行った地域情報およびその年月日を記録する。一方、リジェクトした旨の情報を受信したときは、当該管理番号のデータにリジェクト原因なども記録する（ＳＫ３）。
【００４９】
例えば、管理番号"１２３４５６７"の景品払出しの際、リジェクト原因"Ｘ１"にてリジェクトした旨の通知を管理サーバ４０１が受信したときは、地域情報、その年月日などとともにリジェクト原因も記録するので、"Ｄ（２００２．８．１）Ｘ１"として記録する。なお、前記"Ｘ１"は、予めリジェクト原因をコード化し、例えば、ステップＳＨ２にてバーコードリーダ２１６の情報とＩＣタグ３の情報が一致しない場合を"Ｘ１"としたものである。このようにリジェクト原因も併せて記録することにより、リジェクト発生の原因解析が容易になり、再発防止も行うこともできる。
【００５０】
そして、所定の期間ごと或いはリジェクト部２３７が満杯になったとき格納された不良或いは不正な景品Ｐ'を回収し、景品製造工場１００に戻す。
【００５１】
景品製造工場１００では、リジェクト部２３７に格納されていた前記景品Ｐ'は、ＩＣタグ３の管理番号を読み出し管理サーバ４０１に、管理番号を通知し、管理データに記録された製造、払出し、或いは交換の際の地域情報、年月日、リジェクト原因などの情報を取得し、これらの情報に基づき修復させる再利用処理を行う（ステップＳＰ３）。
【００５２】
例えば、ＩＣタグ３の情報を読み出すことができず、リジェクトされたときはＩＣタグ３の調査を行い修復し、ＩＣタグ３の情報とバーコード４の情報の不一致によりリジェクトされたときはバーコードに偽造がないかを調査し修復すればよい。
【００５３】
また、前述のように管理データの記録から、リジェクト原因が偽造等によるときは、景品Ｐの製造、払出し或いは交換の際の地域情報、年月日などの情報を、偽造者特定の手がかりとする。
【００５４】
なお、以上の説明では、管理サーバ４０１にて、製造地域情報や製造年月日により納品実績のない地域で製造されていないか、所定の期間より製造日が古くないか、現時点より新しい年月日となっていないかなどの正当性の確認を行うように説明したが、景品払出装置２０２にて、当該正当性の確認を行うようにしてもよいし、管理サーバ４０１および景品払出装置２０２両方にて行うようにしてもよい。
【００５５】
（景品交換に関する動作）
一方、遊技の結果の報償として景品払出装置２０２により払い出された景品Ｐを持つ利用者が、交換品に交換するために景品交換装置３０１に近づくと、景品交換装置３０１の前方に配置した近接センサ３２９によりこれを検出し、操作部３０２の操作画面に景品投入口３０３より景品Ｐを投入する案内を表示する。
【００５６】
このとき、カメラ部３０６の動作を開始し、操作画面の例えば左隅に撮影画像を所定の間隔で表示し、不正な行為しないように警告するとともに、適宜画像の記憶等を行うようにする。
【００５７】
利用者は、景品Ｐを投入する案内表示に従い、持っている景品Ｐを景品投入口３０３より投入する。ここで、景品投入口３０３のシャッタ３０３ａは、異物の投入などを防止するために、所定のタイミングのみ開くようする。また、景品返却口３０５のシャッタ３０５ａも、所定の時間だけ開くようにするのがよい。
【００５８】
そして、前記案内に従い、すべての景品Ｐの投入が終了し、第１のリーダ３２７により景品ＰのＩＣタグ３の情報を読み取り、前記景品払出しの際の認証と同様の処理を行う。すなわち、偽造などがない景品であるかどうかの認証を行うために、読み取った価値情報、管理番号等の情報を管理サーバ４０１に送信する（ステップＳＣ１）。
【００５９】
これを受信した管理サーバ４０１は、例えば、管理番号"００００００２"の情報が送信されてきたときは、価値情報に応じて管理番号"００００００２"に記録した地域情報、製造年月日と、受信した情報を比較することにより、偽造等の不正な景品であるかどうかの確認を行う。また、景品払出装置２０２の認証と同様に地域情報、製造年月日が妥当であるかどうかの確認を行い、その結果を景品交換装置３０１に送信する（ステップＳＫ４）。
【００６０】
また、管理サーバ４０１は、景品交換の地域情報、交換年月日情報にすでに交換した地域や年月日が記録されているときは、当該景品Ｐはすでに交換済みであるので、景品交換装置３０１にその旨通知する。
【００６１】
景品交換装置３０１では、第１のリーダ３２７にてバーコード情報として価値情報、管理番号、地域情報、製造年月日を読み取り、ＩＣタグ３の情報と比較し、偽造の有無などを確認し、偽造があれば管理サーバ４０１にその旨送信する（ステップＳＣ２）。
【００６２】
そして、景品交換装置３０１は、管理サーバ４０１から認証結果として不正な景品である旨通知された場合、或いは前記ステップＳＣ２にてＩＣタグ３の情報とバーコード４の情報が一致しない等があったときは、利用者にその旨通知し、リジェクト部３４２に当該景品Ｐを格納する。
【００６３】
そして、前記確認が終了し、景品Ｐが第１次貯留部３４９に格納されると、操作部２の操作画面に景品Ｐの枚数や合計ポイントを表示する。
【００６４】
すると、利用者は、景品Ｐの枚数やポイント合計を確認し、交換を選択すると、景品処理部３２４は、景品Ｐのポイント合計に応じた交換品を図９には図示していない交換品ユニット３２５から繰り出して搬送し、投入された種類ごと景品Ｐの枚数や合計ポイントを印刷部３２３にて印刷したレシートＲとともに、交換品払出口３０４に排出する（ステップＳＣ１３）。このとき交換品払出口３０４のシャッタも前記、景品返却口３０５のシャッタ３０５ａと同様、排出を完了したときに開き、所定の時間で閉じるようにする。
【００６５】
交換品の排出が終了すると、景品処理部３２４は、第１貯留部３４９の景品Ｐを第２貯留部３４１に移送し、第２のリーダ３２８により再度読み取り確認しながら、それぞれのスタッカ３４５に景品Ｐを格納する（ステップＳＣ１４）。このとき、ステップＳＣ１と同様の認証処理を再度行うようにする。
【００６６】
管理サーバ４０１は、ステップＳＫ４にて偽造等もなく、また景品交換装置３０１からバーコード情報による認証の結果として異常有りの旨の通知もないときは、正当な景品であると判断し、図１０に示した管理データに、管理番号に応じた地域情報、年月日情報として、景品交換を行った地域情報およびその年月日を記録する。
【００６７】
一方、景品Ｐに偽造等の不正が発見されたときは、景品払出し時と同様に、景品交換の地域情報、その年月日、リジェクト原因を管理データに記録して置く（ステップＳＫ５）。このように記録することにより、重複した交換品への交換を確実に防止することができるとともに、景品Ｐに不具合があったときでもリジェクト原因に応じて確実に修復することができ、景品Ｐの再利用が容易となる。
【００６８】
そして、所定の期間ごと或いはスタッカ３４５が満杯になったときに、正常な景品Ｐを回収する。また、所定の期間ごと或いはリジェクト部３４２が満杯になったときリジェクト部３４２に格納された不良或いは不正な景品Ｐ'を回収し、景品製造工場１００に戻す。
【００６９】
景品製造工場１００では、スタッカ３４５に格納された正常な景品Ｐは、ＩＣタグ３の情報を書換え、必要に応じてバーコード４を修正等し再度の利用をする処理を行う。一方、リジェクト部３４２に格納されていた景品Ｐ'は、ＩＣタグ３の管理番号を読み出し管理サーバ４０１に、管理番号を通知し、管理データに記録された製造、払出し、或いは交換の際の地域情報、年月日、リジェクト原因などを取得し、これらの情報に基づき修復させる再利用処理を行う（ステップＳＰ３）。
【００７０】
また、前述のように管理データの記録からリジェクト原因が偽造等によるときは、景品Ｐ'の製造、払出し、或いは交換の際の地域情報、年月日などの情報に基づき偽造等が行われた場所や年月日などを特定するようにする。
【００７１】
なお、以上の説明では、管理サーバ４０１にて製造地域情報や製造年月日により、納品実績のない地域で製造されていないか、所定の期間より製造日が古くないか、現時点より新しい年月日となっていないかなどの正当性の確認を行うように説明したが、景品交換装置３０１にて、当該正当性の確認を行うようにしてもよいし、管理サーバ４０１および景品交換装置３０１両方にて行うようにしてもよい。
【００７２】
（実施例１の効果）
以上詳細に述べたように、実施例１の景品交換システムによれば、管理番号等を管理する管理サーバを設け、景品製造装置、景品払出装置および景品交換装置をネットワークで接続し、景品にはＩＣタグを設け景品価値を表面に印刷し、景品払出し或いは景品交換の際に、管理サーバの管理番号等の情報および前記ＩＣタグの情報、或いはさらに前記印刷情報により認証を行うようにしたので、偽造防止等のセキュリティを維持したまま、所望の場所の景品交換装置にて景品Ｐを交換できるようにすることができる。
【００７３】
また、管理データとして、景品製造地域、製造年月日、景品払出地域、払出し年月日、景品交換地域、交換年月日により管理するので、景品払出し時、景品交換時に確実に偽造等の有無確認ができるとともに、バーコード４の偽造や景品Ｐの不良等があったときには、管理データにより、その原因や偽造場所などを特定することもできる。
【実施例２】
【００７４】
実施例２の景品交換システムは、景品払出装置２０２の認証情報読取手段としてバーコードリーダ２１６のみを設け、景品払出しの際は必要最小限のチェックを行うようにしたものである。
【００７５】
（構成）
実施例２の景品交換システムの構成、景品、景品製造装置および景品交換装置３０１の構成は、実施例１の景品交換システムと同様であるので、簡略化のためにその詳細な説明は省略する。
【００７６】
実施例２の景品払出装置２０２の構成は、図５の制御系構成、図６の機構図に示したように、高価なＩＣタグリーダ２１５を取り除いた構成としているが、他の構成は同様であるので、簡略化のためにその詳細な説明は省略する。また、管理データの構成も実施例１の景品交換システムにて説明した図１０と同様であるので簡略化のためにその詳細な説明は省略する。
【００７７】
（動作）
以上の構成により、実施例２の景品交換システムは、以下のように動作する。この動作を図１２の動作フローチャートを用いて説明する。実施例１と同様に、便宜上、景品製造装置１０１の処理ステップをＳＰで表し、景品払出装置２０２の処理ステップをＳＨで表し、管理サーバ４０１側の処理ステップをＳＫで表し、景品交換装置３０１の処理ステップをＳＣで表す。
【００７８】
なお、景品製造装置１０１および管理サーバ４０１の動作は、実施例１の動作と同様であるので、簡略化のためにその詳細な説明は省略する。すなわち、景品製造装置１０１のステップＳＰ１１ないしＳＰ１３は実施例１のＳＰ１ないしＳＰ３と同様であり、管理サーバ４０１のステップＳＫ１１ないしＳＫ１５は、実施例１のＳＫ１ないしＳＫ５と同様である。また、以下の説明では、実施例１と同様に、図１０に示した５００Ｐの管理番号００００００１番の景品Ｐがすでに製造された状態で、次の００００００２番の景品Ｐを製造し、払出し、および交換する例として説明する。
【００７９】
（景品製造に関する動作）
景品製造工場１００の景品製造装置１０１の動作は、実施例１と同様であり、各価値の景品Ｐを製造するごとに、景品Ｐの価値情報と地域情報を管理サーバ４０１に送付し、管理番号発行の依頼をし、管理サーバ４０１から返信されてくる管理番号に基づきＩＣタグ３への書込み、バーコード４として印刷などを行う（ステップＳＰ１１、ＳＰ１２）。
【００８０】
一方、管理サーバ４０１は、実施例１と同様に、景品製造装置１０１から受信した価値情報、地域情報に基づき図１０の管理データを参照し、発行すべき番号を抽出し、景品製造装置１０１に送信する（ステップＳＫ１１）。
【００８１】
以上のように、各種景品を同様にして、管理サーバ４０１とのやり取りにより管理番号を取得し、ＩＣタグ３への記録およびバーコード印刷を行い、順次所望の景品を製造し、随時、遊技ホール２００に納品する。なお、前述ステップＳＰ１１、ＳＰ１２のように管理サーバ４０１に管理番号の付与を依頼するのではなく、景品の構成にて説明したＩＣチップ３ａ製造の際に記録された前記識別ＩＤを読み取り、管理サーバ４０１にこれを送信し、管理番号として当該識別ＩＤを用いるようにしてもよいし、管理サーバ４０１にて新たに採番した番号とともに管理するようにしてもよいことは実施例１と同様である。この場合、実施例１と同様にＩＣタグ３への新たな記録を行わないようにすることもできる。
【００８２】
（景品払出しに関する動作）
一方、前記景品Ｐの納品を受けた遊技ホール２００では、景品Ｐを景品払出装置２０２の価値種類毎のスタッカ２３１に格納する。そして、遊技の報償をＰＯＳ２０１にてレシートＲにより受領した利用者が、景品払出装置２０２にて顧客操作部２０３によりレシートＲに記録された識別番号情報等を入力し、係員操作部２０５による係員の操作により承認を行うことにより、払出し動作を開始する。
【００８３】
この払出しの際に、景品払出装置２０２は、バーコードリーダ２１６により、価値情報、管理番号等の情報を読み取り、偽造などがない景品であるかどうかの認証を行うために、この情報を管理サーバ４０１に送信する（ステップＳＨ１１）。
【００８４】
これを受信した管理サーバ４０１は、例えば、管理番号"００００００２"の情報が送信されてきたときは、価値情報に相当する管理番号"００００００２"に記録した地域情報、製造年月日と、受信した情報を比較することにより、偽造等がないかを確認する。或いは、さらに地域情報により納品実績のない地域で製造されていないか、或いは製造年月日により所定の期間より古くないか、現時点より新しい年月日となっていないかなども確認する（ステップＳＫ１２）。
【００８５】
そして、偽造等がなく正当な景品であれば、景品払出装置２０２にその旨通知し、これを受信した景品払出装置２０２は、景品払出口２０４に景品Ｐを払出す（ステップＳＨ１２）。
【００８６】
一方、バーコード４の情報による管理サーバ４０１での認証の結果、正当な景品でないと判断したときは、景品払出装置２０２にその旨通知し、これを受信した景品払出装置２０２は、リジェクト部２３７に格納し、払出しを行わないようにする。
【００８７】
管理サーバ４０１は、景品払出装置２０２から正常に景品払出しがなされた旨の情報を受信したときは、図１０に示した管理データの景品払出しを行った地域情報およびその年月日を記録する。一方、リジェクトした旨の情報を受信したときは、当該管理番号のデータにリジェクト原因などを記録する（ＳＫ１３）。
【００８８】
そして、所定の期間ごと或いはリジェクト部２３７が満杯になったとき格納された不良或いは不正な景品Ｐ'を回収し、景品製造工場１００に戻す。なお、回収した景品Ｐ'の再利用処理については、実施例１と同様であるのでその説明を省略する。
【００８９】
なお、以上の説明では、管理サーバ４０１にて製造地域情報や製造年月日により、納品実績のない地域で製造されていないか、所定の期間より製造日が古くないか、現時点より新しい年月日となっていないかなどの正当性の確認を行うように説明したが、景品払出装置２０２にて、当該正当性の確認を行うようにしてもよいし、管理サーバ４０１および景品払出装置２０２両方にて行うようにしてもよいことは実施例１と同様である。
【００９０】
（景品交換に関する動作）
景品交換装置３０１にて行う景品交換に関する動作は、実施例１と同様であるので、簡略化のためにその説明を省略する。
【００９１】
（実施例２の効果）
以上詳細に述べたように、実施例２の景品交換システムによれば、景品払出装置２０２の認証情報読取手段としてバーコードリーダ２１６のみを設け、景品払出の際は、必要最小限のチェックを行うようにしたので、セキュリティに影響を与えることなく、景品払出装置２０２を安価とすることができる。
【００９２】
《その他の変形例》
（１）以上の実施例の説明では、ＩＣタグ３へ書込む情報或いは管理サーバ４０１の管理データとして、年月日を記録するように記載したが、時間、分などさらに詳細な時間単位で記録するようにしてもよい。バーコード４についても同様に、詳細な時間単位までを含ませるようにしてもよい。
【００９３】
（２）また、以上の実施例の説明では、景品ＰのＩＣタグ３やバーコード４に含ませる情報を暗号化等する旨の記載はしなかったが、偽造防止のためには所定のアルゴリズムによりスクランブルをかけ、或いはＤＥＳ（Ｄａｔａ  Ｅｎｃｒｙｐｔｉｏｎ  Ｓｔａｎｄａｒｄ）方式等により暗号化して書込み、印刷するのがよい。
【００９４】
（３）また、以上の実施例の説明では、景品製造時に管理番号を生成し、ＩＣタグ３またはバーコード４に情報を含ませて、書込みまたは印刷するように説明したが、景品払出装置２０２或いは景品交換装置３０１にＩＣタグライタを設け、景品払出しの際に管理番号を生成しこれを含ませてＩＣタグ３に書込むようにしてもよいし、バーコード４として新たに追加して印刷するようにしてもよい。
【００９５】
（４）また、以上の実施例の説明では、景品払出しの際または景品交換の際に管理サーバ４０１だけに管理番号とともに製造場所、製造年月日、払出場所、払出年月日、交換場所、交換年月日等を記録するように説明したが、景品払出装置２０２または景品交換装置３０１にＩＣタグライタを設け、景品払出しまたは景品交換の際にそれぞれ、景品ＰのＩＣタグ３に記録するようにすれば、さらに比較する情報量が増加し、セキュリティを向上することができる。
【００９６】
（５）また、以上の実施例の説明では、景品製造工場、遊技ホール、景品交換所、管理センタを別地区とし、景品製造装置、景品払出装置、景品交換装置を通信網５００にて接続するように説明したが、これら装置いずれか或いは全部を同じ地区に配置し通信網にて接続するシステムとしてもよい。
【産業上の利用可能性】
【００９７】
以上の説明では、遊技の結果の報償として払い出される景品を例に示して説明したが、景品に限らず、所定の価値を想定した物を、別の種類の価値を想定した物に交換する装置であれば、本発明を適用することができる。
【図面の簡単な説明】
【００９８】
【図１】実施例１の景品交換システムの構成図である。
【図２】実施例１の景品の構成図である。
【図３】実施例１の景品製造装置のブロック図である。
【図４】実施例１の景品払出装置の外観図である。
【図５】実施例１の景品払出装置の制御系ブロック図である。
【図６】実施例１の景品払出装置の機構図である。
【図７】実施例１の景品交換装置の外観図である。
【図８】実施例１の景品交換装置の制御系ブロック図である。
【図９】実施例１の景品交換装置の機構図である。
【図１０】管理データフォーマット例である。
【図１１】実施例１の景品交換システムの動作フローチャートである。
【図１２】実施例２の景品交換システムの動作フローチャートである。
【符号の説明】
【００９９】
３      ＩＣタグ
４      バーコード
１０１  景品製造装置
１１２  ＩＣタグリーダライタ
１１３、２１３、３２３  印刷部
１１４、２１６  バーコードリーダ
２０１  ＰＯＳ
２０２  景品払出装置
２１５  ＩＣタグリーダ
３２７  第１のリーダ
３２８  第２のリーダ
３０１  景品交換装置
４０１  管理サーバ
５００  通信網
Ｐ      景品
Ｒ      レシート
【図１】
2006204361.tif 000003
【図２】
2006204361.tif 000004
【図３】
2006204361.tif 000005
【図４】
2006204361.tif 000006
【図５】
2006204361.tif 000007
【図６】
2006204361.tif 000008
【図７】
2006204361.tif 000009
【図８】
2006204361.tif 000010
【図９】
2006204361.tif 000011
【図１０】
2006204361.tif 000012
【図１１】
2006204361.tif 000013
【図１２】
2006204361.tif 000014